(57)【要約】      （修正有）【課題】原稿画像をリピート配列して、この原稿画像よりも面積が大きい印刷用紙に出力するリピートレイアウト機能を備える画像形成装置において、このリピートレイアウト機能の手法を印刷用紙の両面で行い、更に、印刷用紙の表面と裏面で原稿画像の位置がずれない画像形成装置を提供する。【解決手段】原稿画像の表面と裏面を読み取る画像読取手段と、画像読取手段にて読み取られた原稿画像を印刷用紙にリピート配列させる画像生成手段と、画像生成手段にて配列された原稿画像を印刷用紙に出力する印刷手段を含み、画像生成手段は、表面と裏面で各画像の位置が一致するようにリピート配列させる。【選択図】図４
2012044376.tif 000002
【特許請求の範囲】
【請求項１】
原稿画像の表面と裏面を読み取る画像読取手段と、前記画像読取手段にて読み取られた前記原稿画像を印刷用紙にリピート配列させる画像生成手段と、前記画像生成手段にて配列された前記原稿画像を印刷用紙に出力する印刷手段を含み、
前記画像生成手段は、前記表面と前記裏面で各画像の位置が一致するようにリピート配列させることを特徴とする画像形成装置。
【請求項２】
前記画像生成手段は、前記表面においてリピート配列させる画像の左上の角と、前記裏面にリピート配列させる画像の右上の角を基準にして配列することを特徴とする請求項１に記載の画像形成装置。
【請求項３】
前記画像生成手段は、前記表面にリピート配列させる画像と前記裏面にリピート配列させる画像の向きを一致させることを特徴とする請求項１または２に記載の画像形成装置。
【請求項４】
前記画像生成手段は、前記表面にリピート配列させる画像と前記裏面にリピート配列させる画像の大きさを一致させることを特徴とする請求項１または２に記載の画像形成装置。
【請求項５】
前記画像形成装置は表示部を備え、前記表示部は、前記画像生成手段にてリピート配列された結果、または、表示部制御手段を表示し、前記表示制御手段は、配置位置、配置方向、配置サイズを制御することを特徴とする請求項１〜４に記載の画像形成装置。
【発明の詳細な説明】
【技術分野】
【０００１】
本発明は、原稿画像を印刷用紙にリピート配列して出力するリピートレイアウト機能を備える画像形成装置に関するものである。
【背景技術】
【０００２】
複写機、印刷機等の画像形成装置において、原稿画像を、この原稿画像よりも面積が大きい印刷用紙に、多面出力する用途がある。
【０００３】
このような、原稿画像を印刷用紙にリピート配列して出力するリピートレイアウト機能では、出力された各原稿画像を切断して配布でき、印刷用紙の使用量削減に効果がある。
【０００４】
ただ、印刷用紙に対して、原稿画像を一定方向にリピート配列しただけでは、原稿画像と印刷用紙の長辺・短辺の長さの関係によっては、印刷用紙に出力できる原稿画像の面数が限られてしまい、無駄な余白が大きく生じてしまう場合があった。
【０００５】
そこで、例えば、特開２００８−１４２９６９号公報（特許文献１）には、この余白を減らせるように、原稿画像の配列する向きを変えて配置し直すことで、印刷用紙に一度に出力できる原稿画像の面数を増やし、無駄な余白も減らせる手法が提案されている。
【先行技術文献】
【特許文献】
【０００６】
【特許文献１】特開２００８−１４２９６９号公報
【発明の概要】
【発明が解決しようとする課題】
【０００７】
しかしながら、特許文献１のようなリピートレイアウト機能の手法では、印刷用紙の両面に対して、多面出力するまでは行っていない。
【０００８】
この場合、印刷用紙に一度に出力できる原稿画像の面数を増やせるので、無駄な余白が減らせるものの、印刷用紙の片面で行っただけでは、印刷用紙に出力する原稿画像の情報量が片面に限定されてしまうという課題があった。
【０００９】
また、このリピートレイアウト機能の手法を単に両面で行っただけでは、印刷用紙の表面と裏面で原稿画像の位置がずれてしまい、表面の原稿画像に沿って印刷用紙を切断すると、裏面の原稿画像は途切れてしまうという課題もあった。
【００１０】
本発明は、上記の問題点に鑑みてなされたものであり、リピートレイアウト機能の手法を印刷用紙の両面で行うことで、印刷用紙に出力する原稿画像の情報量を増やし、更に、印刷用紙の表面と裏面で原稿画像の位置を一致させることで、表面の原稿画像に沿って印刷用紙を切断しても、裏面の原稿画像が途切れてしまわない手法を備えた画像形成装置及び画像形成方法を提供することにある。
【課題を解決するための手段】
【００１１】
本発明は、原稿画像の表面と裏面を読み取る画像読取手段と、前記画像読取手段にて読み取られた前記原稿画像を印刷用紙にリピート配列させる画像生成手段と、前記画像生成手段にて配列された前記原稿画像を印刷用紙に出力する印刷手段を含み、前記画像生成手段は、前記表面と前記裏面で各画像の位置が一致するようにリピート配列させる画像形成装置である。
【００１２】
また、本発明は、前記画像生成手段は、前記表面においてリピート配列させる画像の左上の角と、前記裏面にリピート配列させる画像の右上の角を基準にして配列することを特徴とする画像形成装置である。
【００１３】
また、本発明は、前記画像生成手段は、前記表面にリピート配列させる画像と前記裏面にリピート配列させる画像の向きを一致させる画像形成装置である。
【００１４】
また、本発明は、前記画像生成手段は、前記表面にリピート配列させる画像と前記裏面にリピート配列させる画像の大きさを一致させる画像形成装置である。
【００１５】
また更に、本発明は、前記画像形成装置は表示部を備え、前記表示部は、前記画像生成手段にてリピート配列された結果、または、表示部制御手段を表示し、前記表示制御手段は、配置位置、配置方向、配置サイズを制御する画像形成装置である。
【発明の効果】
【００１６】
本発明によれば、原稿画像の表面と裏面を読み取る画像読取手段と、画像読取手段にて読み取られた原稿画像を印刷用紙にリピート配列させる画像生成手段と、画像生成手段にて配列された原稿画像を印刷用紙に出力する印刷手段を含む画像形成装置であるため、印刷用紙に一度に出力できる原稿画像の情報量が増える。
【００１７】
更に、画像生成手段は、表面と裏面で各画像の位置が一致するようにリピート配列させる画像形成装置であるため、表面の原稿画像に沿って印刷用紙を切断しても、裏面の原稿画像が途切れてしまうことがない。また、無駄な出力を減らすこともできる。
【００１８】
また、本発明によれば、画像生成手段は、表面においてリピート配列させる画像の左上の角と、裏面にリピート配列させる画像の右上の角を基準にして配列する画像形成装置であるため、表面と裏面で各画像の位置が一致する。
【００１９】
また、本発明によれば、画像生成手段は、表面にリピート配列させる画像と裏面にリピート配列させる画像の向きを一致させる画像形成装置であるため、表面と裏面の原稿画像の向きが一致しない場合、出力された印刷用紙の縦綴じ或いは横綴じの要求に応じて、裏面の原稿画像の向きを、表面の原稿画像の向きに合わせて変更することができる。
【００２０】
また、本発明によれば、画像生成手段は、表面にリピート配列させる画像と裏面にリピート配列させる画像の大きさを一致させる画像形成装置であるため、表面と裏面の原稿画像の大きさが一致しない場合、表面或いは裏面どちらかの原稿画像の大きさを基準に、配置サイズを自由に変更することで、表面と裏面の原稿画像の面数が異なったり、配置位置がずれてしまうことを解消できる。
【００２１】
また更に、本発明によれば、印刷手段にて印刷用紙に出力する前に、画像生成手段にて配列された表面と裏面の原稿画像を表示させる表示部を備える画像形成装置であるため、印刷手段にて印刷用紙に出力される表面と裏面の原稿画像の仕上がりを事前にユーザが確認できる。
【００２２】
更に、表示部にて配置位置、配置方向、並びに配置サイズを制御できる表示部制御手段を備える画像形成装置であるため、ユーザが表示部にて確認後、仕上がりを自由に変更できる。また、ユーザの要求に応じて仕上がりを変更できるため、無駄な出力を減らすこともできる。
【図面の簡単な説明】
【００２３】
【図１】本発明に係る画像形成装置の内部構成の概略を示す図である。
【図２】本発明に係る画像形成装置の表示・操作パネルを示す図である。
【図３】本発明に係る画像形成装置の表示・操作パネルの表示部を示す図である。
【図４】本発明に係る画像形成装置の表示・操作パネルの表示部で表示される表裏両面のプレビューを示す図である。
【図５】本発明に係る画像形成装置の表示・操作パネルの表示部で表示されるレイアウト設定画面を示す図である。
【図６】本発明に係る画像形成装置の制御部の処理フローを示す図である。
【図７】本発明に係る画像形成装置の第１の実施例の印刷用紙の表裏両面を示したものである。（ａ）本発明に係る画像形成装置の第１の実施例の印刷用紙の表面を示したものである。（ｂ）本発明に係る画像形成装置の第１の実施例の印刷用紙の裏面を示したものである。
【図８】本発明に係る画像形成装置の第１の比較例の印刷用紙の表裏両面を示したものである。（ａ）本発明に係る画像形成装置の第１の比較例の印刷用紙の表面を示したものである。（ｂ）本発明に係る画像形成装置の第１の比較例の印刷用紙の裏面を示したものである。
【図９】本発明に係る画像形成装置の第２の実施例の印刷用紙の表裏両面を示したものである。（ａ）本発明に係る画像形成装置の第２の実施例の印刷用紙の表面を示したものである。（ｂ）本発明に係る画像形成装置の第２の実施例の印刷用紙の裏面を示したものである。
【図１０】本発明に係る画像形成装置の第３の実施例の印刷用紙の表裏両面を示したものである。（ａ）本発明に係る画像形成装置の第３の実施例の印刷用紙の表面を示したものである。（ｂ）本発明に係る画像形成装置の第３の実施例の印刷用紙の裏面を示したものである。
【図１１】本発明に係る画像形成装置の第４の実施例の印刷用紙の表裏両面を示したものである。（ａ）本発明に係る画像形成装置の第４の実施例の印刷用紙の表面の原稿画像の一つを示したものである。（ｂ）本発明に係る画像形成装置の第４の実施例の印刷用紙の裏面の原稿画像の一つを示したものである。（ｃ）本発明に係る画像形成装置の第４の実施例の印刷用紙の裏面の原稿画像の一つをセンタ基準にて移動したものである。（ｄ）本発明に係る画像形成装置の第４の実施例の印刷用紙の裏面の原稿画像の一つを左上基準にて移動したものである。（ｅ）本発明に係る画像形成装置の第４の実施例の印刷用紙の裏面の原稿画像の一つを変倍したものである。
【発明を実施するための形態】
【００２４】
＜実施例１＞
図１は本発明に係る画像形成装置の内部構成の概略を示している。画像形成装置１００は、画像読取手段としてのスキャナ１０１で読み取られた原稿画像に基づき、印刷用紙に多色画像や単色画像を形成するものである。画像形成装置１００は、スキャナ１０１、表示・操作パネル１０２、印刷部１０３、制御部１０４を備えて構成されている。制御部１０４は、読み取った画像に対して、大きさの算出１０５、配列数の算出１０６、配列位置の算出１０７、配列の実行１０８、プレビューの実行１０９を行う。
【００２５】
スキャナ１０１は、画像を読み取り、表示・操作パネル１０２は、画像形成装置１００の上面に配置され、画像形成装置１００の動作状況を表示部に表示するとともに、印刷を実行できる操作キーを有し、印刷手段としての印刷部１０３では、原稿画像を印刷する。なお、表示・操作パネル１０２の表示部は、タッチパネルであり、液晶ディスプレイや有機ＥＬ（Electroluminescence）ディスプレイ等、様々な表示形式を採用することができる。
【００２６】
図２は、図１の表示・操作パネル１０２を示す図であり、表示・操作パネル１０２は、操作キー１０２ａと表示部１０２ｃより構成される。印刷は、操作キー１０２ａのうち、スタートキー１０２ｂをユーザが押下することで、印刷用紙に出力される。
【００２７】
図３は、図２の表示・操作パネル１０２の表示部１０２ｃの基本画面を示す図であり、図１のスキャナ１０１にて読み取られた原稿画像を印刷用紙にリピート配列させるには、両面コピーキー２００及びリピートレイアウトキー２０１を押下することで、これらの機能を事前にＯＮにしておく必要がある。印刷用紙に出力される表面と裏面の仕上がりは、プレビュー確認キー２０２を押下することで、確認できる。
【００２８】
図４は、図３のプレビュー確認キー２０２を押下することで遷移する表示・操作パネル１０２の表示部１０２ｃで表示される表面裏面両面のプレビューの一例を示す図であり、実行されたプレビューの仕上がりで、印刷用紙に出力して良ければ、そのまま、プレビュー画面内の印刷キー２１０をユーザが押下することで、印刷用紙に出力される。もし、実行されたプレビューの仕上がりを変更したい場合はプレビュー画面内のレイアウト設定キー２１１を押下すれば良い。
【００２９】
図５は、表示・操作パネル１０２の表示部１０２ｃの表示部制御手段である図４のレイアウト設定キー２１１を押下することで遷移するレイアウト設定画面を示す図である。このレイアウト設定画面内では、基準面設定、配置方向設定、配置サイズ設定の３通りの設定が可能である。
【００３０】
基準面設定では、表面の原稿画像の大きさを基準にして裏面の原稿画像の大きさを変更する表面基準キー３００、或いは、裏面の原稿画像の大きさを基準にして表面の原稿画像の大きさを変更する裏面基準キー３０１キーをユーザが自由に選択できるようになっている。
【００３１】
配置方向設定では、出力された印刷用紙を綴じる方向の要求に応じて、縦綴じキー３０２、或いは、横綴じキー３０３をユーザが自由に選択できるようになっている。
【００３２】
配置サイズ設定では、印刷用紙の表面と裏面の原稿画像の大きさを一致させるセンタ基準キー３０４、左上基準キー３０５、変倍キー３０６をユーザが自由に選択できるようになっている。
【００３３】
キャンセルキー３０７は各設定の選択決定を破棄するキー、ＯＫキー３０８は各設定の選択決定を実行するキーである。
【００３４】
図１に係る画像形成装置の制御部１０４の動作を、図６の処理フローを用いて説明する。まず、図５に示すレイアウト設定画面を表示させる＜ステップＳ１＞。次に、出力したい印刷用紙の表面と裏面に図１のスキャナ１０１で読み取った原稿画像をどのように並べたいのか、このレイアウト設定画面内の基準面設定、配置方向設定、配置サイズ設定の各々について選択したのち、ＯＫキー３０８を押下する。＜ステップＳ２＞。
【００３５】
その後、図１のスキャナ１０１で、原稿画像を読み取る＜ステップＳ３＞。まず、原稿画像の大きさの算出１０５が自動で行われ＜ステップＳ４＞、続いて、この原稿画像が、出力したい印刷用紙の大きさの範囲内に、幾つリピート配列できるのかという配列数の算出１０６が自動で行われる＜ステップＳ５＞。その後、表面と裏面で原稿画像の位置が一致するように、配置位置の算出１０７が自動で行われる＜ステップＳ６＞。以上の手順で、実際に出力したい印刷用紙の表面と裏面に各々、原稿画像に図１に示した配列の実行１０８を行ない＜ステップＳ７＞、実行された配列は、プレビューの実行１０９により、図４に示す画面で、印刷用紙の表面裏面両面のプレビューが表示される＜ステップＳ８＞。
【００３６】
表示されたプレビューに基づき、再度、レイアウト設定を実行する必要があるかどうか判断する＜ステップＳ９＞。再度レイアウト設定を行う必要がある（Ｙｅｓ）と判断した場合は、レイアウト設定キー２１１を押下することでステップＳ１に戻り、レイアウト設定画面内の基準面設定、配置方向設定、配置サイズ設定の各々について再設定を行う。再度、レイアウト設定を実行する必要がない（Ｎｏ）と判定されれば、図４の印刷キー２１０をユーザが押下することで、このプレビューの仕上がりで、印刷用紙に出力される＜ステップＳ１０＞。
【００３７】
次に、印刷用紙の表面と裏面で原稿画像の位置を一致させる方法について、説明する。
【００３８】
図７（ａ）は、図６の処理フローのステップＳ３で、原稿画像「あ」の配列の実行が行われた印刷用紙の表面を示したものであり、図７（ｂ）は、原稿画像「い」の配列の実行が行われた印刷用紙の裏面を示したものである。
【００３９】
印刷用紙の角をＡ，Ｂ，Ｃ，Ｄとし、印刷用紙の短辺側を用紙幅、長辺側を用紙長とする。印刷用紙の表面と裏面の原稿画像の配置位置の合致の確認にあたっては、印刷用紙の角のＢとＤを結ぶ長辺側を基準にする。
【００４０】
原稿画像「あ」、「い」の短辺側を画像幅、長辺側を画像長とする。印刷用紙の表面の配置位置算出には、図７（ａ）に示す印刷用紙の表面の左上の角のＡから、左上の原稿画像「あ」の左上の角のＥ１までの距離を用いる。Ｅ１までの距離は、Ｅ１から、ＡとＢを結ぶ短辺側までの上余白Ｆ１並びに、Ｅ１から、ＡとＣを結ぶ長辺側までの左余白Ｇ１を算出することで得られる。
【００４１】
印刷用紙の表面と裏面の原稿画像の配置位置を、合致させるには、図７（ａ）に示す印刷用紙の表面の左上の原稿画像「あ」の左上の角のＥ１の位置と、図７（ｂ）に示す印刷用紙の裏面の右上の原稿画像「い」の右上の角のＥ２の位置が正確に合致しなければならない。すなわち、印刷用紙表面の上余白Ｆ１と裏面の上余白Ｆ２が等しく、表面の左余白Ｇ１が裏面の右余白Ｇ２と等しくなるように配置する。印刷用紙の裏面の右余白Ｇ２は、裏面の左上の原稿画像「い」の左上の角のＥ３から、印刷用紙の角のＢとＤを結ぶ長辺側までの裏面の左余白Ｇ３を算出することで得られる。
【００４２】
裏面の左余白Ｇ３の算出方法について説明する。まず、原稿画像「い」の画像幅に、用紙幅側に配列する原稿画像「い」の配列数を積算した値に、印刷用紙の表面の左余白Ｇ１の値を合算する。その後、印刷用紙の用紙幅から、この合算値を引いた値が左余白Ｇ３となる。この条件を満たすように、印刷用紙の表面の左余白Ｇ１の値と印刷用紙の裏面の左余白Ｇ３の値の関係にすれば、印刷用紙の表面と裏面の原稿画像の配置位置にズレが生じることはない。
＜比較例１＞
実施例１の比較例として、図８を用いて詳細に説明する。
【００４３】
図８（ａ）は、図６の処理フローのステップＳ３で、原稿画像「あ」の配列の実行が行われた印刷用紙の表面を示したものであり、図８（ｂ）は、原稿画像「い」の配列の実行が行われた印刷用紙の裏面を示したものである。
【００４４】
実施例１と異なり、印刷用紙の表面では、図８（ａ）に示すように、左上の原稿画像「あ」の左上の角のＥ４を基準に、印刷用紙の裏面でも、図８（ｂ）に示すように、左上の原稿画像「い」の左上の角のＥ５を基準に、配列の実行が行われている。
【００４５】
このように、表面も裏面も印刷用紙の左上から配列した場合、表面の原稿画像に沿って印刷用紙を切断すると、裏面の原稿画像が途切れる可能性がある。
【００４６】
したがって、このような途切れを発生させないためには、裏面では、印刷用紙の右上の原稿画像「い」の右上の角のＥ６を基準に配列の実行が行われなければならない。
＜実施例２＞
次に、印刷用紙の表面と裏面の原稿画像の向きを一致させる方法について、説明する。
【００４７】
第２の実施例として、図９を用いて詳細に説明する。これは、出力された印刷用紙の長辺側を基準にした横綴じの要求に応じて、裏面の原稿画像の向きを、表面の原稿画像の向きに合わせる実施例である。
【００４８】
図９（ａ）は、図６の処理フローのステップＳ３で、原稿画像「あ」の配列の実行が行われた印刷用紙の表面を示したものであり、図９（ｂ）は、原稿画像「い」の配列の実行が行われた印刷用紙の裏面を示したものである。
【００４９】
図９（ａ）のＢとＤを結ぶ長辺側にある２つの綴じ穴Ｔ１，Ｔ２は、それぞれ図９（ｂ）のＢとＤを結ぶ長辺側にある２つの綴じ穴Ｔ３，Ｔ４と重なるように、綴じられる。
【００５０】
印刷用紙の表面および裏面の配置位置算出は、実施例１の場合と同様に表面画像の左上の角Ｅ７と裏面画像の右上の角Ｅ８が合致するように行う。
【００５１】
横綴じで印刷用紙の表面と裏面の画像の向きを合致させるには、図９（ａ）に示すように、表面の原稿画像「あ」が、図９（ａ）に示す印刷用紙のＡとＢを結ぶ長辺側を向いている場合、図９（ｂ）に示すように、裏面の原稿画像「い」も、ＡとＢを結ぶ長辺側を向いていなければならない。
【００５２】
このようにすることで、印刷用紙の表面と裏面の原稿画像の向きは、印刷用紙の角のＢとＤを結ぶ短辺側を基準に横綴じされたとき合致する。
【００５３】
もし、合致しない場合、配置方向変更手段として用いる横綴じの要求が確定されていたかどうか確認しなければならない。
【００５４】
本実施例においては、印刷用紙を縦長として説明したが、横長の印刷用紙の場合も同様である。
＜実施例３＞
第３の実施例として、図１０を用いて詳細に説明する。これは、出力された印刷用紙の長辺側を基準にした縦綴じの要求に応じて、裏面の原稿画像の向きを、表面の原稿画像の向きに合わせる実施例である。
【００５５】
図１０（ａ）は、図６の処理フローのステップＳ３で、原稿画像「あ」の配列の実行が行われた印刷用紙の表面を示したものであり、図１０（ｂ）は、原稿画像「い」の配列の実行が行われた印刷用紙の裏面を示したものである。
【００５６】
図１０（ａ）のＣとＤを結ぶ短辺側にある２つの綴じ穴Ｔ５，Ｔ６は、それぞれ、図１０（ｂ）のＣとＤを結ぶ長辺側にある２つの綴じ穴Ｔ８，Ｔ７と重なるように、綴じられる。
【００５７】
印刷用紙の表面、および裏面の配置位置算出は、実施例１の場合と同様に表面画像の左上の角Ｅ９と裏面画像の右上の角Ｅ１０が合致するように行う。
【００５８】
縦綴じで、印刷用紙の表面と裏面の原稿画像の向きを合致させるには、図１０（ａ）に示すように、印刷用紙の表面の原稿画像「あ」が、印刷用紙のＡとＢを結ぶ長辺側を向いている場合、裏面の原稿画像「い」は上下反転していなければならない。
【００５９】
このようにすることで、印刷用紙の表面と裏面の原稿画像の向きは、印刷用紙の角のＣとＤを結ぶ長辺側を基準に縦綴じされたとき合致する。
【００６０】
もし、合致しない場合、配置方向変更手段として用いる縦綴じの要求が確定されていたかどうか確認しなければならない。
【００６１】
本実施例においては、印刷用紙を縦長として説明したが、横長の印刷用紙の場合も同様である。
＜実施例４＞
次に、印刷用紙の表面と裏面の原稿画像の大きさを一致させる方法について、説明する。
【００６２】
これは、表面と裏面の原稿画像の大きさが一致しない場合、表面と裏面でリピートレイアウトされる各々の原稿画像の配列数が異なったり、配置位置のズレが生じたりさせないためである。なお、配置サイズ算出には原稿画像の大きさを用いる。
【００６３】
第４の実施例として、図１１を用いて詳細に説明する。
【００６４】
図１１（ａ）は、印刷用紙の表面の原稿画像「あ」の一つを示したものであり、図１１（ｂ）は、裏面の原稿画像「い」の一つを示したものである。印刷用紙の表面に配列する原稿画像「あ」が、裏面に配列する原稿画像「い」の大きさよりも大きい場合である。
【００６５】
このように表面と裏面の画像の大きさが異なる場合、そのまま配列すると、表面と裏面で配列数が異なったり、位置ずれが起こったりするので、表面と裏面の画像の大きさを一致させて配置する必要がある。印刷用紙の表面と裏面の原稿画像の大きさを一致させるための配置サイズ変更方法として、センタ基準、左上基準、変倍の３通り、用いることができる。
【００６６】
どの方法においても、まず、図１１（ｂ）で示す裏面の原稿画像の大きさを、図１１（ａ）で示す表面の原稿画像の大きさに合わせる。これにより、表面と裏面でリピートレイアウトされる各々の原稿画像の配列数が異なることはない。
【００６７】
センタ基準の場合は、図１１（ｃ）に示すように、図１１（ｂ）の原稿画像「い」を、表面の原稿画像の大きさに合わせておいた範囲内の中央部である点線内に配置する。
【００６８】
左上基準の場合は、図１１（ｄ）に示すように、図１１（ｂ）の原稿画像「い」を、表面の原稿画像の大きさに合わせておいた範囲内の左上である点線内に配置する。
【００６９】
変倍の場合は、図１１（ｅ）に示すように、図１１（ｂ）の原稿画像「い」を、表面の原稿画像の大きさに合わせておいた範囲内に収まるように変倍した点線内に移動する。なお、範囲内に収まるよう変倍する際には、画像の縦横比が独立して変倍されると、画像が縦方向もしくは横方向に間延びされるので、変倍にあたっては、縦方向及び横方向の変倍率は同一とする。
【００７０】
以上、表面の原稿画像の大きさを基準にして、裏面の原稿画像の大きさを変更する場合について、説明したが、裏面の原稿画像の大きさを基準に変更しても良く、ユーザが自由に選択できる。
【符号の説明】
【００７１】
１００    画像形成装置
１０１    スキャナ
１０２    表示・操作パネル
１０２ａ  操作キー
１０２ｂ  スタートキー
１０２ｃ  表示部
１０３    印刷部
１０４    制御部
１０５    大きさの算出
１０６    配列数の算出
１０７    配列位置の算出
１０８    配列の実行
１０９    プレビューの実行
２００    両面コピーキー
２０１    リピートレイアウトキー
２０２    プレビュー確認キー
２１０    印刷キー
２１１    レイアウト設定キー
３００    表面基準キー
３０１    裏面基準キー
３０２    縦綴じキー
３０３    横綴じキー
３０４    センタ基準キー
３０５    左上基準キー
３０６    変倍キー
３０７    キャンセルキー
３０８    ＯＫキー
【図１】
2012044376.tif 000003
【図２】
2012044376.tif 000004
【図３】
2012044376.tif 000005
【図４】
2012044376.tif 000006
【図５】
2012044376.tif 000007
【図６】
2012044376.tif 000008
【図７】
2012044376.tif 000009
【図８】
2012044376.tif 000010
【図９】
2012044376.tif 000011
【図１０】
2012044376.tif 000012
【図１１】
2012044376.tif 000013